(57)【要約】【課題】可撓性を有する円盤状の磁気ディスクがハウジング内に収容され、このハウジングに、ドライブ装置が備えている磁気ヘッドを磁気ディスクにアクセスさせるための開口部が形成されてなる磁気ディスクカートリッジにおいて、磁気ディスクの開口部付近での面ブレ特性の悪化を防止する。【解決手段】ハウジング２の上下面に、このハウジング２の内外を連通する複数の透孔１２を設ける。磁気ディスク３の表面をクリーニングするためにハウジング２の内面に貼付されるライナ１８にエアフィルタとしての機能を付与して透孔１２の内端を覆う。【選択図】          図２
2004158136.tif 000002
【特許請求の範囲】
【請求項１】
平坦な上下面を備えた扁平なハウジング内に、可撓性を有する円盤状の磁気ディスクが回転自在に収容され、該ハウジングに、ドライブ装置が備えている磁気ヘッドを前記磁気ディスクにアクセスさせるための開口部が形成されてなる磁気ディスクカートリッジにおいて、
前記ハウジングの上下面に、該ハウジングの内外を連通する複数の透孔が設けられていることを特徴とする磁気ディスクカートリッジ。
【請求項２】
前記ハウジングの前記磁気ディスクと対向する内面に、該磁気ディスクの表面に対するクリーニング機能と、エアフィルタ機能とを兼ね備えたライナが前記透孔を覆う態様で貼付されていることを特徴とする請求項１記載の磁気ディスクカートリッジ。
【発明の詳細な説明】
【０００１】
【発明の属する技術分野】
本発明は、可撓性を有する円盤状の磁気ディスクをハウジング内に収容した磁気ディスクカートリッジに関するものである。
【０００２】
【従来の技術】
従来より、パソコン等の記録媒体として、最も一般的に使用されている３．５インチ（約８９ｍｍ）磁気ディスクカートリッジ１は、図３（ａ）の平面図および図３（ｂ）の概略的拡大断面図に示すように、平坦な上下面を有する四角形の扁平なプラスチック製ハウジング２内に、センタコア４を中心部に固着した円盤状の可撓性磁気ディスク３が回転可能に収容されている。
【０００３】
ハウジング２の一辺の近傍には、ドライブ装置が備えている磁気ヘッドを磁気ディスク３にアクセスさせるための開口部５が形成されているとともに、この開口部５を開閉するための、窓６ａを備えたシャッタ６がスライド可能に設けられている。ハウジング２の磁気ディスク３と対向する内面には、磁気ディスク３の表面をクリーニングするためのライナ８が貼られている。
【０００４】
【発明が解決しようとする課題】
ところで、このような磁気ディスクカートリッジ１においては、ドライブ装置が備えている磁気ヘッドを磁気ディスク３にアクセスさせるための開口部５をハウジング２に設けることが不可欠であるが、ハウジング２内で回転する可撓性を有する薄い磁気ディスク３は、開口部５の付近で面ブレを発生するという不具合があった。これは、磁気ディスク３の回転によってハウジング２の内部に生じる空気の流れが開口部において急激に変化することによるものと推定される。
【０００５】
このような面ブレ特性の悪化は、磁気ディスクカートリッジの品質上致命的な欠陥となったり、高容量化を図るときの懸念事項となっている。そのため従来は、開口部５の面積を減少させたり、センタコア４に対する磁気ディスク３の貼付け品質の向上を図ったりしてきたが、十分な効果は得られていなかった。
【０００６】
上述の事情に鑑み、本発明は、磁気ディスクの面ブレ特性を改善した磁気ディスクカートリッジを提供することを目的とするものである。
【０００７】
【課題を解決するための手段】
本発明は、平坦な上下面を備えた扁平なハウジング内に、可撓性を有する円盤状の磁気ディスクが回転自在に収容され、このハウジングに、ドライブ装置が備えている磁気ヘッドを磁気ディスクにアクセスさせるための開口部が形成されてなる磁気ディスクカートリッジにおいて、
上記ハウジングの上下面に、このハウジングの内外を連通する複数の透孔が設けられていることを特徴とするものである。
【０００８】
その場合、上記ハウジングの磁気ディスクと対向する内面に、磁気ディスクの表面に対するクリーニング機能と、エアフィルタ機能とを兼ね備えたライナが上記透孔を覆う態様で貼付されていることが好ましい。
【０００９】
また、上記開口部の近傍においては、上記透孔の内径を大きく、および／または透孔の配設ピッチを細かくして、透孔による単位面積当たりの開口率を増大させることが好ましい。
【００１０】
【発明の効果】
本発明によれば、ハウジングの上下面に、このハウジングの内外を連通する複数の透孔が設けられていることにより、ハウジングの上下面の内部における磁気ディスクの回転時の気流状態を、上記開口部における気流状態に近づけることができるので、開口部の付近での面ブレ特性の悪化を軽減することができる。
【００１１】
ハウジングの上下面に透孔を設けた場合、防塵性の悪化が懸念されるが、磁気ディスクの表面をクリーニングするためにハウジングの磁気ディスクと対向する内面に貼付されるライナにエアフィルタとしての機能を付与することにより、防塵性を確保することができる。
【００１２】
また、上記開口部の近傍においては、透孔による単位面積当たりの開口率を増大させることにより、磁気ディスクの回転時の開口部近傍における気流状態を開口部における気流状態により近づけることができるから、面ブレ安定性を更に向上させることができる。
【００１３】
また、ハウジングの上下面に透孔を設けたことにより、ハウジングの内面におけるライナの接着箇所が制約されるが、ライナをハウジングの内面から浮かせた状態で設けることにより、ライナの接着箇所の制約条件が解除される。
【００１４】
【発明の実施の形態】
以下、図面を参照して本発明の実施の形態を説明する。
【００１５】
図１（ａ），（ｂ）は、本発明による磁気ディスクカートリッジの実施の形態を示す平面図で、図１（ａ）はシャッタが閉じている状態、図１（ｂ）はシャッタが開いた動作状態をそれぞれ示す。また図２は概略的拡大断面図である。
【００１６】
この磁気ディスクカートリッジ１１は、平坦な上下面を有する四角形の扁平なプラスチック製ハウジング２内に、センタコア４を中心部に固着した円盤状の可撓性磁気ディスク３が回転可能に収容されている。
【００１７】
ハウジング２の一辺の近傍には、ドライブ装置の磁気ヘッドを磁気ディスク３にアクセスさせるための開口部５が形成されているとともに、この開口部５を開閉するための、窓６ａを備えたシャッタ６がスライド可能に設けられている。
【００１８】
以上の構成は、図３（ａ），（ｂ）に示す従来の磁気ディスクカートリッジ１と同様であるが、本実施の形態の磁気ディスクカートリッジ１１においては、ハウジング２の上下面に、ハウジング２の内外を連通する複数の透孔１２が形成されている点が従来のものと異なる。これら複数の透孔１２は、ハウジング２の磁気ディスク３と対向する内面に貼られている、磁気ディスク３の表面をクリーニングするためのライナ１８の貼付け領域に限定して形成され、透孔１２の内端がライナ１８で覆われている。
【００１９】
このライナ１８は、磁気ディスク３表面のクリーニング機能と、透孔１２のエアフィルタとしての機能とを兼ね備えた通気性を有する材料で形成され、すべての透孔１２がライナ１８を介してハウジング２の内外を連通するように構成されている。
【００２０】
上記透孔１２は、孔径１〜３ｍｍ、ピッチ５〜１０ｍｍが好ましい。また、透孔１２の孔形状は円形が好ましいが、これに限定されない。
【００２１】
さらに図１（ｂ）から明らかなように、磁気ヘッドアクセス用の開口部５の近傍領域には、他の部分におけるよりも密に透孔１２が形成されて、透孔による単位面積当たりの開口率を増大させている。あるいは、他の部分よりも大径の透孔を設けてもよい。なお、この領域は、図１（ｂ）に示すシャッタ６が開いた動作状態において、透孔１２がシャッタ６に覆われないで露出している領域である。
【００２２】
以上の説明で明らかなように、本実施の形態によれば、ハウジング２の上下面に、このハウジング２の内外を連通する複数の透孔１２が設けられていることにより、ハウジング２の上下面の内部における磁気ディスク３の回転時の気流状態を、磁気ヘッドアクセス用の開口部５における気流状態に近づけることができるので、磁気ディスク３の開口部５の付近での面ブレ特性の悪化を軽減することができる。
【００２３】
また、すべての透孔１２がフィルタ機能を有するライナ１８を介してハウジング２の内外を連通していることにより、防塵性が確保されている。この場合、ライナ１８の材料として通気方向性のある材質、例えばゴアテックス（Ｒ）を用いることにより、防塵性をさらに向上させることができる。
【００２４】
さらに、上記開口部５の近傍における透孔１２による単位面積当たりの開口率を増大させることにより、磁気ディスク３の回転時における開口部５近傍の気流状態を開口部５における気流状態により近づけることができるから、面ブレ安定性をさらに向上させることができる。
【００２５】
また、ハウジング２の上下面に透孔１２を設けたことにより、ハウジング２の内面におけるライナ１８の接着箇所が制約されるが、ライナ１８をハウジング２の内面から浮かせた状態で設けることにより、ライナ１８の接着箇所の制約条件が解除される。
【図面の簡単な説明】
【図１】本発明による磁気ディスクカートリッジの実施の形態を示す平面図
【図２】図１の磁気ディスクカートリッジの概略的拡大断面図
【図３】従来の磁気ディスクカートリッジの平面図および概略的拡大断面図
【符号の説明】
１，１１    磁気ディスクカートリッジ
２    ハウジング
３    磁気ディスク
８，１８    ライナ
１２    透孔
【図１】
2004158136.tif 000003
【図２】
2004158136.tif 000004
【図３】
2004158136.tif 000005